(57)【要約】【課題】  当籤金の受け取りのための取引口座がないユーザであっても、所望の時点で利用が可能な当籤金の支払い／受け取りを可能とする。【解決手段】  このシステムは、遊技機において当籤が成立した場合、当籤者の本人認証情報と関連づけされた当籤券を作成、発行する当籤券発行装置と、当籤券に記憶された情報を読み取り、当籤券の持参人の本人性の確認を条件として、指定された振込口座に当籤金の振込を行わせる当籤券精算装置とを有する。振込口座が指定されていない場合、当籤券精算装置は当籤券の持参人の本人確認情報を取得し、この本人確認情報とともに口座開設要求を行い、その口座開設要求に応じて開設された振込口座に対する当籤金の振り込み要求を行う。【選択図】    図１
2005208839.tif 000002
【特許請求の範囲】
【請求項１】
遊技機による遊技に基づいて当籤が成立した場合、所定の当籤金をユーザに支払うための当籤金支払いシステムにおいて、
このシステムは：
遊技機において当籤が成立した場合、当籤者の本人認証情報と関連づけされた当籤券を作成、発行する当籤券発行装置と、
前記当籤券に記憶された情報を読み取り、当籤券の持参人の本人性の確認を条件として、指定された振込口座に当籤金の振込を行わせる当籤券精算装置と
を有することを特徴とする当籤金支払システム。
【請求項２】
請求項１に記載の当籤金支払システムにおいて、振込口座が指定されていない場合、前記当籤券精算装置は当籤券の持参人の本人確認情報を取得し、この本人確認情報とともに口座開設要求を行い、その口座開設要求に応じて開設された振込口座に対する当籤金の振り込み要求を行う、ことを特徴とする当籤金支払システム。
【請求項３】
当籤通知の受信を契機に、当籤券の所有者の本人認証情報を取得する本人認証情報取得手段と、
本人認証情報取得手段により取得した本人認証情報と、当籤券識別情報と、当籤金額情報とを関連づけて、当籤券となる記憶媒体に書き込む当籤券発行手段と
を有することを特徴とする当籤券発行装置。
【請求項４】
当籤券の持参人の本人認証情報を取得する本人認証情報取得手段と、
当籤券に記憶された情報を読み取り、この情報に基づいて当籤券の所有者の本人認証情報を取得し、前記本人認証情報取得手段により取得した当籤券の持参人の本人認証情報と、当籤券の所有者の本人認証情報とを用いて本人認証を行う当籤券精算制御手段と、
前記当籤券精算制御手段による本人認証が成功したことを条件として、当籤金の振込先となる振込先口座の開設を要求する口座開設手段と、
前記口座開設手段の要求に応じて開設された振込先口座に当籤金の振り込みを行わせる振込処理手段と
を有することを特徴とする当籤券精算装置。
【請求項５】
請求項４に記載の当籤券精算装置において、当籤券精算装置は、当籤券の持参人の本人確認情報を取得する本人確認情報取得手段をさらに有し、前記口座開設手段は、本人確認情報取得手段により取得した本人確認情報とともに振込先口座の開設を要求する、ことを特徴とする当籤券精算装置。
【発明の詳細な説明】
【技術分野】
【０００１】
本発明は、当籤金支払システム、当籤券発行装置、及び当籤券精算装置に関し、より詳しくは、例えば宝くじ装置などにより当籤した当籤金の支払いを振込先口座の指定の有無に関わりなく、行うことが可能な当籤金支払システム、当籤券発行装置、及び当籤券精算装置に関する。
【背景技術】
【０００２】
近年の、情報通信技術の発達、通信インフラの整備普及により、様々な情報を通信ネットワークを介して流通させることが可能となっている。宝くじのような当籤金の受け渡しについても、通信ネットワークを利用したシステムが提案されており、当籤者が特定銀行の窓口など当籤金払出機関にわざわざ出向くことなく当籤金の支払いを受けることが可能となりつつある。
【０００３】
このような宝くじの当籤金の支払い／受け取りの技術として、たとえばユーザからの宝くじ購入希望を受け付けた販売サーバが、銀行系システムに代金引き落としを依頼し、銀行系システムはそのユーザの口座から代金引き落としをなし、販売サーバは、既存宝くじシステムから宝くじの当籤番号の抽選結果を取得し、この抽選結果に応じて銀行系システムに当籤ユーザの口座に当籤金の振り込みを依頼するシステムが開示されている（特許文献１）。
【特許文献１】特開２００２−７６３１公開公報（段落［００１２］〜［００１３］、図２）
【発明の開示】
【発明が解決しようとする課題】
【０００４】
しかし、上記のような当籤金の支払い／受け取りの技術では、ユーザは宝くじなどの購入や少なくとも当籤金の払い出し時（精算時）に当籤金の振込先となる口座を開設していなければならず、新規ユーザが気軽に、或いは思い立ったときに利用することは困難であった。
【０００５】
本発明の目的は、口座開設のための本人確認の結果を条件に当籤金を振り込む取引口座の開設を行わせ、当籤金の受け取りのための取引口座がないユーザであっても、所望の時点で利用が可能な当籤金の支払い／受け取りのための方法、システムを提供することにある。
【課題を解決するための手段】
【０００６】
上記課題を解決するための手段として、本発明は以下のような特徴を有する。  
本発明の第１の態様は、遊技機による遊技に基づいて当籤が成立した場合、所定の当籤金をユーザに支払うための当籤金支払いシステムとして提案される。
【０００７】
このシステムは、遊技機において当籤が成立した場合、当籤者の本人認証情報と関連づけされた当籤券を作成、発行する当籤券発行装置と、当籤券に記憶された情報を読み取り、当籤券の持参人の本人性の確認を条件として、指定された振込口座に当籤金の振込を行わせる当籤券精算装置とを有することを特徴としている。
【０００８】
上記当籤金支払システムにおいて、振込口座が指定されていない場合、当籤券精算装置は当籤券の持参人の本人確認情報を取得し、この本人確認情報とともに口座開設要求を行い、その口座開設要求に応じて開設された振込口座に対する当籤金の振り込み要求を行うようにしてもよい。この構成によれば、振込先口座を用意していないユーザであっても、遊技機の遊技を随時楽しむことができ、当籤した場合にも当籤金の支払いを受けることが可能となる。
【０００９】
本発明の第２の態様は、当籤券発行装置として提案される。この当籤券発行装置は、当籤通知の受信を契機に、当籤券の所有者の本人認証情報を取得する本人認証情報取得手段（本人認証情報取得部）と、本人認証情報取得手段により取得した本人認証情報と、当籤券識別情報（当籤券ＩＤ）と、当籤金額情報とを関連づけて、当籤券となる記憶媒体に書き込む当籤券発行手段（当籤券発行部）とを有することを特徴としている。
本発明の第３の態様は、当籤券精算装置として提案される。この当籤券精算装置は、当籤券の持参人の本人認証情報を取得する本人認証情報取得手段（本人認証情報取得部）と、当籤券に記憶された情報を読み取り、この情報に基づいて当籤券の所持者の本人認証情報を取得し、本人認証情報取得手段により取得した当籤券の持参人の本人認証情報と、当籤券の所持者の本人認証情報とを用いて本人認証を行う当籤券精算制御手段（当籤券精算制御部）と、当籤券精算制御手段による本人認証が成功したことを条件として、当籤金の振込先となる振込先口座の開設を要求する口座開設手段（口座開設処理部）と、口座開設手段の要求に応じて開設された振込先口座に当籤金の振り込みを行わせる振込処理手段（当籤金振込処理部）とを有することを特徴としている。
【００１０】
この当籤券精算装置において、当籤券精算装置は当籤券の持参人の本人確認情報を取得する本人確認情報取得手段（本人確認情報取得部）をさらに有し、口座開設手段は、本人確認情報取得手段により取得した本人確認情報とともに振込先口座の開設を要求するようにしてもよい。この構成によれば、振込先口座を用意していないユーザであっても、遊技機の遊技を随時楽しむことができ、当籤した場合にも当籤金の支払いを受けることが可能となる。
【発明の効果】
【００１１】
口座開設のための本人確認の結果を条件に当籤金を振り込む取引口座の開設を行わせることが可能であり、当籤金の受け取りのための取引口座がないユーザであっても利用可能な宝くじシステムを提供できる。
【発明を実施するための最良の形態】
【００１２】
以下、本発明の実施の形態にかかる当籤金支払システムおよびこの当籤金支払システムの動作として実現される当籤金支払い方法について、図面を参照しながら説明する。
【００１３】
［１．当籤金支払システムの構成例］
まず、図１を参照しながら当籤金支払システムの構成例について説明する。図１は、本発明の実施の形態にかかる当籤金支払システムの構成例を示すブロック図である。  
当籤金支払システム１０は、ユーザが当籤によって獲得した当籤金の支払いをうけるための当籤券１０５を発行し、この発行された当籤券の正当性を確認して当籤金の支払いをなし、当籤金の支払いに際してユーザが支払いを受けるための振込先口座を有していない場合には、外部の銀行系システム２０に口座開設を依頼して、当籤金の支払いを行う。
【００１４】
当籤金支払システム１０は、当籤の判定及び当籤金額を決定する遊技機１０１と、遊技機１０１に接続された当籤券管理装置１０２と、当籤券管理装置１０２に接続された当籤券発行装置１０３と、当籤券管理装置１０２に接続された当籤券精算装置１０４とを有している。なお、当籤券精算装置１０４は、当籤金支払システム１０とは別のシステムとなっている銀行系システム２０に接続されている。また、銀行系システム２０には、ユーザが当籤金の払出を受けるためのＡＴＭ（automated teller machine）２０Ｔが接続されており、ユーザが当籤金に相当する現金を引き出せるようになっている。
【００１５】
以下、当籤金支払システム１０の各構成要素について説明する。  
［１．１．遊技機］  
遊技機１０１は、一定の条件でユーザに当籤金を獲得させる装置であって、例えばスロットマシン、ポーカーやブラックジャックなどのカードゲームマシン、宝くじ装置、ビンゴゲーム装置、パチンコ、パチスロなどである。  
図２に、遊技機１０１の構成例を示す。図示の構成例では、遊技機１０１は、ユーザの操作を受け付ける入力部２０１と、入力部からの信号に従って遊技等を実行し、当籤の成否及び当籤金額の決定を行う遊技制御部２０２と、遊技制御部２０２から当籤が成立を示す情報及び当籤金額を示す情報を受け取ると、当籤券管理装置１０２との接続を確立し、これら情報を当籤券管理装置１０２に送信する通信制御部２０３とを有している。なお、「当籤券」とは、当籤券精算装置１０４により読み取り可能な、金銭に交換可能な情報を記憶した記憶媒体、若しくはそのような記憶媒体を含む物をいうものとする。本明細書にいう当籤券は、例えば、ＩＣカード、磁気カード、バーコードの附された紙葉類などである。また更に、当籤券として、携帯電話機、半導体メモリカード、半導体メモリスティックなどを用いることも可能である。また、説明の都合上「当籤券」と呼ぶが、必ずしも「券」としての形状・材質を有している必要はなく、当籤券精算装置１０４により読み取り可能な物であればどのような形状・材質であってもかまわない。例えば、本明細書にいう当籤券として、ＩＣチップ内蔵のメダル型トークン、ＩＣタグ付きのストラップ、などを用いることも可能である。
【００１６】
［１．２．当籤券管理装置］  
当籤券管理装置１０２は、遊技機１０１から当籤成立を示す情報及び当籤金額を示す情報を受け取り、記憶する機能と、これら情報に基づいて当籤券発行装置１０３に当籤券１０５を発行させる機能を有する。また、当籤券管理装置１０２は、当籤券精算装置１０４から送信される本人認証情報に基づいて当籤券精算要求者の本人認証を行う機能を更に有していても良い。ここで、「本人認証情報」とは、当籤券精算要求者と当籤券１０５の発行を受けた者の同一性を確認することが可能な情報であって、たとえば、いわゆるバイオメトリクス認証のための情報（声紋、指紋、目の網膜、虹彩、顔画像、静脈パターンなど）や、ＩＤ，パスワードなどである。
【００１７】
当籤券管理装置１０２は、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置であって、たとえばコンピュータ、ワークステーション、ＷＷＷ（World Wide Web）サーバ、或いはＷＷＷサーバ、データベースサーバ、アプリケーションサーバの結合によって構成される情報処理装置である。前記ＲＯＭ、もしくはハードディスク装置などに情報処理装置を当籤券管理装置１０２として機能させるためのプログラム、もしくは当籤券支払い方法の一部をコンピュータに実行させるためのプログラムが記憶されており、プログラムを主メモリ上に載せ、ＣＰＵがこれを実行することにより当籤券管理装置１０２が実現され、若しくは当籤券支払い方法の一部が実行される。また、上記プログラムはからなずしも情報処理装置内の記憶装置に記憶されていなくともよく、外部の装置（例えば、ＡＳＰ（アプリケーション・サービス・プロバイダのサーバなど））から提供され、これを主メモリに乗せる構成であっても良い。
【００１８】
図３は、当籤券情報管理装置１０２の構成例を示す機能ブロック図である。当籤券情報管理装置１０２は、遊技機１０１，当選券発行装置１０３，当籤券精算装置１０４と通信接続を行うための通信制御部３０１と、通信制御部３０１に接続された当籤券情報登録部３０２及び本人認証実行部３０３と、当籤券情報登録部３０２及び本人認証実行部３０３に接続されたデータベース管理部３０４と、データベース管理部３０４に接続された当籤券情報データベース部３０５及びユーザ情報データベース部３０６とを有している。
【００１９】
通信制御部３０１は、所定の通信プロトコル（プロトコルスタック）を実行することにより遊技機１０１等との接続を確立し、データの送受信を行う。当籤券情報登録部３０２は、遊技機１０１からの当籤成立及び当籤金額情報を受け取ると、これら情報に基づいて当籤券１０５についてのデータを当籤券情報データベース部に記憶させる。本人認証実行部３０３は、当籤券精算装置１０４から送られてくる本人認証情報を、当籤券情報データベース部３０５或いはユーザ情報データベース部３０６に記憶されている、その当籤券１０５に対応付けられて記憶された本人認証情報と比較し、本人認証判定を行い、本人認証判定結果を当籤券精算装置１０４に通信制御部３０１に通知させる。データベース管理部３０４は、当籤券情報登録部３０２及び本人認証実行部３０３からの要求に応じて、当籤券情報データベース部３０５或いはユーザ情報データベース部３０６にデータの書き込み、データの読み出し等を行う。
【００２０】
当籤券情報データベース部３０５は、一の当籤券１０５について当籤券１０５を特定するための情報と当籤金を示す情報と、この当籤券１０５の所持者を示す情報とを関連づけて記憶する。図４（Ａ）は、当籤券情報データベース部３０５の記憶するレコードのデータ構成例を示す。当籤券情報データベース部３０５は、一の当籤券１０５ごとに、図４（Ａ）に示すレコード４００を記憶しており、各レコード４００は、当籤券１０５を特定するための情報である当籤券識別子４０１と、当籤金を示す情報である当籤金額情報４０２と、本人認証に用いられる本人認証情報４０３と、その当籤券１０５の所持者を特定するユーザ識別子４０４とを有している。本人認証情報４０３は、当選券発行装置１０３において、当籤券発行時に取得された本人認証情報である。
【００２１】
ユーザ情報データベース部３０６は、ユーザに関する情報を記憶する。図４（Ｂ）は、ユーザ情報データベース部３０６の記憶するレコードのデータ構成例を示す。ユーザ情報データベース部３０６は、一のユーザごとに、図４（Ｂ）に示すレコード４０５を記憶しており、レコード４０５のそれぞれは、ユーザを特定するための情報であるユーザ識別子４０６と、そのユーザが当籤金の振込先口座を予め指定いる場合にはその振込先口座情報（金融機関コード、支店コード、口座番号など）４０７と、そのユーザに対する連絡先情報（自宅／勤務先電話番号、電子メールアドレス、住所など）４０８とを有している。ユーザ情報データベース部３０６には主に、ユーザ登録時に得られる情報が記憶される。ユーザ登録は、ユーザが本当籤金支払システムの利用希望を本当籤金支払システムの運営者／管理者に行う際などに行われればよい。
【００２２】
当籤券情報データベース部３０５とユーザ情報データベース部３０６とはユーザ識別子４０４，４０６をキーとして相互参照可能である。従って、当籤券情報データベース部３０５のユーザ識別子４０４をキーとしてユーザ情報データベース部３０６の記憶内容を検索し、そのユーザの指定振込先口座を抽出できる。なお、当籤券情報データベース部３０５とユーザ情報データベース部３０６とに必ずしも分けられていなくとも良く、一のデータベースで当籤券情報データベース部３０５とユーザ情報データベース部３０６の双方の記憶内容を扱う構成としても、当籤券管理装置１０２は実現可能である。
【００２３】
また、本人認証情報４０３は、当籤券情報データベース部３０５ではなく、ユーザ情報データベース部３０６に記憶される要にしてもかまわない。レコード４００内のユーザ識別子４０４をキーとすれば、ユーザ情報データベース部３０６のレコード４０５から本人認証情報を抽出可能だからである。
【００２４】
［当籤券発行装置］
次に、当籤券発行装置１０３について説明する。当籤券発行装置１０３は、遊技機１０１において当籤が成立した場合、当籤券管理装置１０２と協働して、本人認証情報と関連づけされた当籤券１０５を作成、発行する機能を有する。
【００２５】
図５は、当籤券発行装置１０３の構成例を示す機能ブロック図である。図示の構成例において、当籤券発行装置１０３は、当籤券管理装置１０１に接続された通信制御部５０１と、通信制御部５０１に接続された当籤券発行制御部５０２と、当籤券発行制御部５０２に接続されたユーザインターフェイス部５０３，本人認証情報取得部５０４、及び当籤券発行部５０５とを有している。
【００２６】
通信制御部５０１は、所定の通信プロトコル（プロトコルスタック）を実行することにより当籤券管理装置１０２との接続を確立し、データの送受信を行う機能を有する。
【００２７】
当籤券発行制御部５０２は、通信制御部５０１、ユーザインターフェイス部５０３，本人認証情報取得部５０４、及び当籤券発行部５０５に動作タイミング、動作開始、動作終了など全体の制御を行い、本人認証情報取得部５０４により取得した本人認証情報とともに、当籤券管理装置１０２から送信された諸情報（当籤券ＩＤ４０１，当籤金額情報４０２など）を当籤券１０５に当籤券発行部５０５に書き込みさせる。
【００２８】
ユーザインターフェイス部５０３は、ユーザに当籤券発行に関するメッセージを伝達するとともに、ユーザの入力を受け付ける機能を有し、例えば液晶タッチパネル及びそのドライバであって、「当籤券を発行しますか？  ＹＥＳ／ＮＯ」「本人認証情報の登録を行います。右手人差し指をスキャナに当ててください。」「当籤券の発行が終了しました。」などのメッセージや実行ボタン、確認ボタン、キャンセルボタンなどを適宜表示する。
【００２９】
本人認証情報取得部５０４は、当籤券１０５の正当な所持者の本人認証情報を取得する機能を有する。例えば、声紋、指紋、目の網膜、虹彩、顔画像、静脈パターンなどを読み取り、読み取った画像データからパターンを抽出して本人認証情報を生成する。生成した本人認証情報は、当籤券発行制御部５０２に渡され、当籤券発行時に当籤券１０５に書き込ませるようにしても良いし、通信制御部５０１を介して当籤券管理装置１０２に送信し、記憶させるようにしても良い。
【００３０】
当籤券発行部５０５は、発行前の状態にある当籤券１０５である記録媒体に当籤金の支払いに必要な情報の書き込みを行い、書き込みを終了した記憶媒体を当籤券１０５として出力する機能を有する。当籤券発行部５０５は、例えば磁気カードやＩＣカードのカードライタや、記憶媒体が携帯電話機であればこの携帯電話機とのデータに送信することができる通信機構（赤外線通信機構、Bluetoothなど）が当籤券発行部５０５として使用可能である。
【００３１】
図６は、当籤券発行部５０５により、当籤券１０５である記憶媒体に書き込まれたデータの例を示す図である。記憶媒体には、当籤金の支払い（当籤券の精算）に必要な情報６００として、当籤券ＩＤ６０１、当籤金額６０２，本人確認情報６０３、振込先口座６０４が書き込まれている。
【００３２】
当籤券ＩＤ６０１、当籤金額６０２，振込先口座６０４は、当籤券管理装置１０２に記憶されている当籤券ＩＤ４０１、当籤金額４０２，振込先口座４０７であって、当籤券管理装置１０２から送信されたものが当籤券ＩＤ６０１、当籤金額６０２，振込先口座６０４として書き込まれる。なお、振込先口座がユーザにより指定されていない場合は、振込先口座６０４に相当するデータは書き込みされないか、未指定であることを示すデータが書き込まれる。本人認証情報６０３は、その当籤券発行処理の際に本人認証情報取得部５０４により生成されたデータである。
【００３３】
［当籤券精算装置］
当籤券精算装置１０４は、ユーザが当籤券１０５を提示して当籤金の支払いを要求した場合、当該当籤券１０５の真正性、及び当籤券保持者の本人性の確認を条件として、指定された振込口座に当籤金の振込を行わせる機能を有し、前記振込口座がない場合には、ユーザに本人確認情報の提出を促し、この本人確認情報に基づいて振込口座の開設を行わせ、開設した口座に前記当籤金の振り込みを行わせる機能を有する。
【００３４】
図７は、当籤券精算装置１０４の構成例を示す機能ブロック図である。図示の構成例において、当籤券精算装置１０４は、当籤券管理装置１０１に接続された通信制御部７０１と、通信制御部７０１に接続された当籤券精算制御部７０２と、当籤券精算制御部７０２に接続されたユーザインターフェイス部７０３，本人認証情報取得部７０４、及び当籤券読取部７０５、及び当籤金振込処理部７０６と、当籤金振込処理部７０６に接続された口座開設処理部７０７と、口座開設処理部７０７に接続された本人確認情報取得部７０８とを有している。なお、当籤金振込処理部７０６と口座開設処理部７０７とは、銀行系システム２０と通信可能に接続されている。
【００３５】
通信制御部７０１は、所定の通信プロトコル（プロトコルスタック）を実行することにより当籤券管理装置１０２との接続を確立し、データの送受信を行う機能を有する。
【００３６】
当籤券精算制御部７０２は、通信制御部７０１、ユーザインターフェイス部７０３，本人認証情報取得部７０４、及び当籤券発行部７０５、当籤金振込処理部７０６に動作開始タイミングの指示、動作終了タイミングの指示など全体の制御を行い、本人認証情報取得部７０４により取得した本人認証情報と当籤券１０５に記憶されている本人認証情報６０３とを照合して本人判定を行い、本人判定が成功した場合、当籤券１０５に記憶されている諸情報（当籤金額情報４０２、振込先口座６０４など）を渡して当籤金振込処理部７０６に当籤金の振り込み処理を行わせる。
【００３７】
ユーザインターフェイス部５０３は、ユーザに当籤券精算に関するメッセージを伝達するとともに、ユーザの入力を受け付ける機能を有し、例えば液晶タッチパネル及びそのドライバであって、「当籤券を精算しますか？  ＹＥＳ／ＮＯ」「本人の確認を行います。右手人差し指をスキャナに当ててください。」「当籤券の精算が終了しました。当籤金△△円をご指定の○○銀行□□支店口座番号××××××に振り込みました。」「振込先口座が指定されていません。振込先口座を新たに開設しますか？    ＹＥＳ／ＮＯ」「口座開設に必要な本人確認情報を提示してください。」などのメッセージや実行ボタン、確認ボタン、キャンセルボタンなどを適宜生成・表示する。
【００３８】
本人認証情報取得部７０４は、当籤券１０５の精算要求をする者の本人認証情報を取得する機能を有する。この本人認証情報は、当選券発行装置１０３により取得された本人認証情報と同一種類である。取得した本人認証情報は、当籤券精算制御部７０２に渡され、本人判定処理に利用される。
【００３９】
当籤券読取部７０５は、当籤券１０５の精算要求をする者が提示した当籤券１０５に書き込まれたデータを読み取り、当籤券精算制御部７０２に渡す機能を有する。当籤券精算部５０５は、例えば磁気カードやＩＣカードのカードリーダや、記憶媒体が携帯電話機であればこの携帯電話機とのデータに送信することができる通信機構（赤外線通信機構、Bluetoothなど）が当籤券発行部５０５として使用可能である。
【００４０】
当籤金振込処理部７０６は、当籤券精算制御部７０２が本人判定に成功した場合、当籤券１０５に書き込まれた情報等に基づいて、当籤金を振込先口座に振り込むよう銀行系システム２０に要求する機能を有するとともに、振込先口座が指定されていない場合には、口座開設処理部７０７に新規口座開設処理を実行させる機能を有する。
【００４１】
口座開設処理部７０７は、当籤金振込処理部７０６からの指令に応じて、銀行系システム２０にこの当籤券所持者のための新規振込先口座の開設を要求するとともに、口座開設に必要な情報を銀行系システムに提供する機能を有する。口座開設に必要な情報としては、ユーザの住所・氏名に加えて、本人の身分証明証、若しくはこれに相当するもののデータを送るようにしても良い。
【００４２】
本人確認情報取得部７０７は、上記本人の身分証明書のデータを読み取り、口座開設処理部７０７に渡す機能を有する。身分証明書としては、例えば運転免許証、パスポート、順民基本台帳カード、外国人登録証明書など（中華人民共和国においては、大陸部の中国公民の住民身分証明書、臨時住民身分証明書、大陸部の１６歳以下の中国公民戸籍簿、中国人民解放軍軍人身分証明書、中国人民武装警察身分証明書、香港、澳門（マカオ）住民の大陸往来通行証、台湾住民の大陸往来通行証、その他の憂苦旅行証明書、外国人のパスポートなど）の金融機関が口座開設の際に本人確認資料として認めるもののいずれであってもかまわない。これらの身分証明書は、光学的又は電子的に読み取られ銀行系システムに口座開設の審査資料として送られることとなる。本人確認情報読取部７０８は、このような身分証明書を光学的又は電子的に読み取り、データ化する機能を有し、例えば光学スキャナである。
【００４３】
口座開設処理部７０７は、本人確認情報とともに銀行系システム２０に口座開設要求を送り、銀行系システム２０がこの要求に応じて口座を開設し、その口座番号等を通知すると、当籤金振込処理部７０６が従前の当籤金に相当する額をその口座番号の振込先口座に振り込むよう、銀行系システム２０に要求する。
【００４４】
［当籤券精算装置の動作例］
次に、当籤券精算装置１０４の動作例について、図８を参照しながら説明する。図８は、当籤券精算装置１０４の動作例を示すフローチャートである。
【００４５】
ユーザが当籤券精算装置１０４のユーザインターフェイス部７０３に触れるなどして、当籤券１０５の精算処理を要求すると、当籤券精算装置１０４は、まず、当籤券１０５の読み取り処理を行う（ステップＳ８０１）。例えば、当籤券精算装置１０４は、ユーザに当籤券１０５を当籤券読取部７０４であるカードリーダに入れるよう、ユーザに促し、ユーザが当籤券１０５をカードリーダ（当籤券読取部７０５）に挿入すると、カードリーダは当籤券１０５に書き込まれているデータを読み出し、当籤券精算制御部７０２に渡す。
【００４６】
当籤券精算制御部７０２は、受け取ったデータに基づいて本人認証情報を取得する（ステップＳ８０２）。当籤券１０５に本人認証情報が書き込まれている場合は、これを保持する。
【００４７】
次に、当籤券精算装置１０４は、ユーザに本人認証情報を要求し、本人認証情報取得部７０４により精算を要求した人物の本人認証情報をする（ステップＳ８０３）。例えば、当籤券精算装置１０４は、ユーザインターフェイス部７０３に、「本人認証を行います。右手人差し指をスキャナに当ててください。」とのメッセージを表示させ、ユーザに本人認証情報である指紋情報の提供を促す。本人認証情報取得部７０４は指紋情報を光学的に読み取り、この光学的に得た画像データから特徴パターンを生成して本人認証情報として当籤券精算制御部７０２に渡す。
【００４８】
当籤券精算装置１０４は、当籤券精算制御部７０２において当籤券１０５から得た本人認証情報と、本人認証情報取得部７０４より得た本人認証情報とを比較して、これら本人認証情報が一致するか否かを判定する（ステップＳ８０４）。一致しない場合（ステップＳ８０４，Ｎｏ）は、当籤券精算装置１０４は、当籤券精算処理を中止して（ステップＳ８０５）、全処理を終了する。これにより、成りすましによる当籤金の不正取得を阻止することが可能となる。
【００４９】
一方、本人認証情報が一致した場合（ステップＳ８０４，Ｙｅｓ）は、当籤券精算装置１０４は、当籤金振込処理部７０６において当籤金の振込先口座が存在するか否かを調べる（ステップＳ８０６）。振込先口座が存在する場合（ステップＳ８０６，Ｙｅｓ）は、当籤金振込処理部７０６は、銀行系システム２０に、指定された振込先口座に当籤金額を振り込むよう振込依頼要求を送信する振込処理を実行し（ステップＳ８０７）、その後全処理を終了する。銀行系システム２０は、この振込依頼要求に基づいて当籤金の支払元口座（例えば、当籤金支払システムの運営者の口座）から指定された振込先口座であるユーザの個人口座に当籤金相当の額の振り込みを行う。振り込まれた当籤金はユーザが後にその銀行系システム２０に接続されたＡＴＭなどを用いて現金等として引き出したり、様々な支払いに利用することができる。
【００５０】
一方、振込先口座が存在する場合（ステップＳ８０６，Ｙｅｓ）は、当籤券精算装置１０４は、ユーザに口座開設用の本人確認情報を要求し、これを取得する（ステップＳ８０８）。当籤金振込処理部７０６は、振込先口座のデータが記録されていないと判断すると、口座開設処理部７０７に口座開設処理を実行するよう指令する。口座開設処理部７０７は、ユーザインターフェイス部７０３に所定のメッセージを表示させ、本人確認情報取得部７０８により、本人確認情報の取得を行う。
【００５１】
次に、当籤券精算装置１０４は、本人確認情報とともに銀行系システム２０に口座開設要求を送信する（ステップＳ８０９）。銀行系システム２０が口座開設を認め、その口座番号等振込に必要な情報を知らせてくると、これを受け取った当籤券精算装置１０４は、銀行系システム２０に、指定された振込先口座に当籤金額を振り込むよう振込依頼要求を送信する振込処理を実行し（ステップＳ８０７）、その後全処理を終了する。銀行系システム２０は、この振込依頼要求に基づいて当籤金の支払元口座（例えば、当籤金支払システムの運営者の口座）から新たに開設した振込先口座であるユーザの個人口座に当籤金相当の額の振り込みを行う。振り込まれた当籤金はユーザが後にその銀行系システム２０に接続されたＡＴＭなどを用いて現金等として引き出したり、様々な支払いに利用することができる。ステップＳ８０８、Ｓ８０９の処理を行うことにより、振込先口座を用意していないユーザについても、本実施の形態にかかる当籤金支払システムの随時の利用が可能となる。
【００５２】
以上で、当籤券精算装置１０４の動作例の説明を終了する。
【００５３】
［当籤金支払システムの動作例について］
次に、本実施の形態にかかる当籤金支払システムの動作例について、図９から図１１を参照しながら説明する。図９は当籤金支払システムの動作例を示すシーケンス図、図１０，１１はそれぞれ図９に続くシーケンス図である。
【００５４】
まず、当籤券１０５の発行までの動作例について図９を参照しながら述べる。  
ユーザが遊技機１０１による遊技によってある当籤を引き当て、当籤金が発生したとする（ステップＳ９０１）。すると、遊技機１０１は、当籤券管理装置１０２に当籤が発生したこと、及びその当籤金額を通知する（ステップＳ９０２）。当籤券管理装置１０２は、この通知に応じて、当籤券ＩＤ４０１の発行、記録及び当籤金額情報４０２の記憶を行う。
【００５５】
続いて、当籤券管理装置１０２は、当籤券発行装置１０３に当籤券発行命令を送信する（ステップＳ９０３）とともに、当籤券１０５の発行に必要な情報（例えば、当籤券ＩＤ４０１、当籤金額情報４０２、存在する場合には振込先口座４０７、など）を当籤券発行装置１０３に送信する（ステップＳ９０４）。
【００５６】
当籤券発行装置１０３は、ユーザに本人認証情報の入力を促し、ユーザがこれに応じると本人認証情報を取得する（ステップＳ９０５）。当籤券発行装置１０３は、ステップＳ９０４において受信した諸情報及びステップＳ９０５において取得した本人認証情報を当籤券１０５である記憶媒体に書き込み処理することにより、当籤券１０５の発行を行う（ステップＳ９０６）。発行済みの当籤券１０５はユーザが取得し、当籤券１０５の精算を行うまで保持していればよい。
【００５７】
また、当籤券発行（ステップＳ９０６）が完了すると、当籤券発行装置１０３は当籤券管理装置１０２に、当籤券１０５の発行が完了した旨を通知する（ステップＳ９０７）ようにしてもよい。当籤券管理装置１０２は、当籤券１０５の発行日時を記憶することにより、当籤券１０５の有効期間（例えば、発行後１ヶ月間生産可能とし、１ヶ月経過後は当籤券１０５を無効とする）を管理することが可能となる。
【００５８】
次に、当籤券の精算時の、本実施の形態にかかる当籤金支払いシステムの動作例について図１０，図１１を参照しながら説明する。図１０は、当籤金の振込先口座が存在している場合の動作例を示すシーケンス図である。
【００５９】
まず、当籤券１０５の所持者は、当籤金の支払い処理を求めて、当籤券精算装置１０４に当籤券１０５の読み取りを行わせる（ステップＳ１００１）。当籤券精算装置１０４は、当籤券の所持者が当籤券の発行を受けた者であることを確認するため、ユーザに本人認証情報の入力を促し、これに応じたユーザの本人認証情報を取得する（ステップＳ１００２）。また、当籤券精算装置１０４は、当籤券管理装置１０２にその当籤券１０５について記憶されている情報６００を送信するよう要求する（ステップＳ１００３）。当籤券管理装置１０２は、この要求に応じて記憶している情報６００等を当籤券精算装置１０４に送信する（ステップＳ１００４）。
【００６０】
当籤券精算装置１０４は、ステップＳ１００２において取得した、当籤券の持参人の本人認証情報と、当籤券１０５に書き込まれている本人認証情報６０３及び／又は当籤券管理装置１０２に記憶されている本人認証情報４０３とを比較対照し、本人認証情報が一致するか否かを判定する（ステップＳ１００５）。一致する場合は、本人認証が成立したものとして処理が続行される。当籤券精算装置１０４は、当籤金の振込先口座が存在するか否かを当籤券１０５に書き込まれている振込先口座６０４及び／又は当籤券管理装置１０２に記憶されている振込先口座４０７から判断し（ステップＳ１００６）、振込先口座が存在する場合には、銀行系システム２０に振込処理要求を送信する（ステップＳ１００７）。銀行系システム２０は、この振込処理要求に応じて、当籤金に相当する額を振込先号座に振り込むよう処理を行う。
【００６１】
以上で、振込先口座が存在する場合の、本当籤金支払いシステムによる当籤券の精算処理（当籤金の支払い処理）が完了する。  
次に、振込先口座が存在しない（振込先口座が未指定）である場合の、本当籤金支払いシステムによる当籤券の精算動作例について、図１１を参照しながら説明する。
【００６２】
まず、当籤券１０５の所持者は、当籤金の支払い処理を求めて、当籤券精算装置１０４に当籤券１０５の読み取りを行わせる（ステップＳ１１０１）。当籤券精算装置１０４は、当籤券の所持者が当籤券の発行を受けた者であることを確認するため、ユーザに本人認証情報の入力を促し、これに応じたユーザの本人認証情報を取得する（ステップＳ１１０２）。また、当籤券精算装置１０４は、当籤券管理装置１０２にその当籤券１０５について記憶されている情報６００を送信するよう要求する（ステップＳ１１０３）。当籤券管理装置１０２は、この要求に応じて記憶している情報６００等を当籤券精算装置１０４に送信する（ステップＳ１１０４）。
【００６３】
当籤券精算装置１０４は、ステップＳ１１０２において取得した、当籤券の持参人の本人認証情報と、当籤券１０５に書き込まれている本人認証情報６０３及び／又は当籤券管理装置１０２に記憶されている本人認証情報４０３とを比較対照し、本人認証情報が一致するか否かを判定する（ステップＳ１１０５）。一致する場合は、本人認証が成立したものとして処理が続行される。当籤券精算装置１０４は、当籤金の振込先口座が存在するか否かを当籤券１０５に書き込まれている振込先口座６０４及び／又は当籤券管理装置１０２に記憶されている振込先口座４０７から判断する（ステップＳ１１０６）。振込先口座が存在しない場合には、当籤券精算装置１０４は、ユーザに本人確認情報を要求し（ステップＳ１１０７）、ユーザがこの要求に応じて本人確認情報を入力した場合には、当籤券精算装置１０４は、この本人確認情報とともに口座開設要求を銀行系システム２０に送信する（ステップＳ１１０８）。銀行系システム２０では、口座開設要求の審査を本人確認情報を用いて行い、正当と判断した場合は、口座開設処理を行い（ステップＳ１１０９）、口座番号等を当籤券精算装置１０４に通知する（ステップＳ１１１０）。
【００６４】
口座番号等の通知を受けた当籤券精算装置１０４は、この口座番号で指定される振込先口座に対して当籤金の振込処理をするよう、銀行系システム２０に要求する（ステップＳ１１１１）。銀行系システム２０は、この振込処理要求に応じて当籤金に相当する額を振込先号座に振り込むよう処理を行う。
【００６５】
以上で、振込先口座が存在しない場合の、本当籤金支払いシステムによる当籤券の精算処理（当籤金の支払い処理）が完了する。
［変形例、その他］
（１）上記実施の形態では、当籤券の所持者（当籤券の発行を受けた者）の本人認証情報は当籤券１０５若しくは当籤券管理装置１０２に記憶されていたが、本人認証情報を記憶管理する認証サーバを別途設けて、当籤券精算装置１０４は、この認証サーバにアクセスして当籤券の所持者（当籤券の発行を受けた者）の本人認証情報を取得するようにしても、本発明は成立する。
（２）上記実施の形態では、当籤券管理装置１０２を設けて当籤券１０５に関する情報を記憶・管理する構成としたが、当籤券１０５に関する情報はすべて当籤券１０５に記憶させ、当籤券管理装置１０２は設けない構成としても本発明は成立する。
（３）上記実施の形態では、振込先口座の開設要求を当籤券精算装置１０４から銀行系システム２０に送る構成としたが、当籤券管理装置１０２が振込先口座の有無を判定し、口座がない場合には当籤券管理装置１０２から振込先口座の開設要求を当籤券精算装置１０４から銀行系システム２０に送る構成としても本発明は成立する。
（４）上記実施の形態では、本人認証情報の判定を当籤券精算装置１０４が行う構成としたが、当籤券精算装置１０４から当籤券管理装置１０２に当籤券１０５の持参人の本人認証情報を送信させ、当籤券管理装置１０２にて本人認証情報の一致の判定を行うようにしても良い。また、当籤券精算装置１０４に代わって当籤券管理装置１０２が当籤金の振り込み要求を銀行系システム２０に送る構成としても本発明は成立する。
【図面の簡単な説明】
【００６６】
【図１】当籤金支払システムの構成例を示すブロック図
【図２】遊技機の構成例を示す機能ブロック図
【図３】当籤券情報管理装置の構成例を示す機能ブロック図
【図４】（Ａ）は、当籤券情報データベース部の記憶するレコードのデータ構成例を示す図、（Ｂ）は、ユーザ情報データベース部の記憶するレコードのデータ構成例を示す
【図５】当籤券発行装置の構成例を示す機能ブロック図
【図６】当籤券である記憶媒体に書き込まれたデータの例を示す図
【図７】当籤券精算装置の構成例を示す機能ブロック図
【図８】当籤券精算装置の動作例を示すフローチャート
【図９】当籤金支払システムの動作例を示すシーケンス図
【図１０】図９に続くシーケンス図
【図１１】図９に続くシーケンス図
【符号の説明】
【００６７】
１０  …  当籤金支払システム
２０  …  銀行系システム
１０１  …  遊技機
１０２  …  当籤券管理装置
１０３  …  当籤券発行装置
１０４  …  当籤券精算装置
１０５  …  当籤券
５０２  …  当籤券発行制御部
５０４  …  本人認証情報取得部
５０５  …  当籤券発行部
７０２  …  当籤券精算制御部
７０４  …  本人認証情報取得部
７０５  …  当籤券読取部
７０６  …  当籤金振込処理部
７０７  …  口座開設処理部
７０８  …  本人確認情報取得部
【図１】
2005208839.tif 000003
【図２】
2005208839.tif 000004
【図３】
2005208839.tif 000005
【図４】
2005208839.tif 000006
【図５】
2005208839.tif 000007
【図６】
2005208839.tif 000008
【図７】
2005208839.tif 000009
【図８】
2005208839.tif 000010
【図９】
2005208839.tif 000011
【図１０】
2005208839.tif 000012
【図１１】
2005208839.tif 000013